(57)【要約】【課題】機器に対する操作を行うユーザーの負担を軽減する。【解決手段】操作を案内するための案内画像を表示部に表示させる制御部と、ユーザーによる前記操作を検知するセンサーと、を備え、前記制御部は、画像の遷移の指示を受け付けた場合に、前記表示部による案内画像の表示を一画像ずつ遷移させ、前記センサーにより所定の前記操作が検知された場合に、前記表示部による案内画像の表示を一つ以上の案内画像をスキップして遷移させる、ことを特徴とする電子機器。【選択図】図２
2018116169.tif 000002
【特許請求の範囲】
【請求項１】
操作を案内するための案内画像を表示部に表示させる制御部と、
ユーザーによる前記操作を検知するセンサーと、を備え、
前記制御部は、画像の遷移の指示を受け付けた場合に、前記表示部による案内画像の表示を一画像ずつ遷移させ、前記センサーにより所定の前記操作が検知された場合に、前記表示部による案内画像の表示を一つ以上の案内画像をスキップして遷移させる、ことを特徴とする電子機器。
【請求項２】
前記制御部は、連続する複数の前記操作に対応した複数の前記案内画像からなる案内画像群を複数、順に前記表示部に表示させることが可能であり、前記案内画像群の最後の案内画像に対応する前記操作が前記センサーにより検知された場合に、前記表示部による案内画像の表示を、次の前記案内画像群の最初の案内画像へ遷移させることを特徴とする請求項１に記載の電子機器。
【請求項３】
前記案内画像群を構成する案内画像に対応する前記操作には前記センサーによる検知が不能な操作が含まれていることを特徴とする請求項２に記載の電子機器。
【請求項４】
前記制御部は、前記案内画像群の最後の案内画像に対応する前記操作が前記センサーにより検知された場合に、当該案内画像群を構成する案内画像に対応する前記操作のうち前記センサーによる検知が可能な操作の全てが完了していることを条件として、前記表示部による案内画像の表示を、次の前記案内画像群の最初の案内画像へ遷移させることを特徴とする請求項２または請求項３に記載の電子機器。
【請求項５】
前記制御部は、前記案内画像群の最後の案内画像に対応する前記操作が前記センサーにより検知された場合に、前記条件が成立しなければ、前記表示部による案内画像の表示を維持することを特徴とする請求項４に記載の電子機器。
【請求項６】
前記制御部は、前記案内画像群を構成する案内画像のうち最後の案内画像に該当しない案内画像に対応する前記操作が前記センサーにより検知された場合に、前記表示部による案内画像の表示を、当該案内画像群内の、当該検知された操作に対応した案内画像の次の案内画像へ遷移させることを特徴とする請求項２〜請求項５のいずれかに記載の電子機器。
【請求項７】
前記制御部は、前記案内画像群を構成する案内画像のうち最後の案内画像に該当しない案内画像が前記表示部により表示されている状況で前記遷移の指示を受け付けた場合には、当該表示されている案内画像に対応する前記操作が前記センサーにより検知されたか否かにかかわらず、前記表示部による案内画像の表示を一画像遷移させることを特徴とする請求項２〜請求項６のいずれかに記載の電子機器。
【請求項８】
前記案内画像群を構成する案内画像のうち最後の案内画像に該当しない案内画像には、前記遷移の指示を受け付けるための受付部が含まれていることを特徴とする請求項２〜請求項７のいずれかに記載の電子機器。
【請求項９】
前記操作をユーザーに促すための報知を実行する報知部を更に有し、
前記報知部は、前記表示部が表示する前記案内画像に連動して前記報知を実行することを特徴とする請求項１〜請求項８のいずれかに記載の電子機器。
【請求項１０】
前記報知部は、前記電子機器における前記操作の対象となる箇所の近傍に配設されていることを特徴とする請求項９に記載の電子機器。
【発明の詳細な説明】
【技術分野】
【０００１】
本発明は、操作を案内するための案内画像を表示する電子機器に関する。
【背景技術】
【０００２】
機器の利用に必要な設定のために幾つかの操作をユーザーに要求する当該機器は、それら操作をユーザーに案内するための案内画像を表示する。
【０００３】
また、ユーザーによるオプション機器の装着操作又は離脱操作を検知する着脱操作検知部を備え、表示制御部は、着脱操作検知部の検知結果に応じて表示部に表示するガイダンスを変更する画像形成装置が知られている（特許文献１参照）。
【先行技術文献】
【特許文献】
【０００４】
【特許文献１】特開２０１６‐８７８７８号公報
【発明の概要】
【発明が解決しようとする課題】
【０００５】
ユーザーに、前記操作の進捗と並行して表示部における案内画像の表示を手動で切替えさせる場合、ユーザーの負担が大きかった。特に、案内画像を逐一確認せずとも前記設定を行うことができる熟練のユーザーにとっては、案内画像を切替える動作が面倒であった。また、ユーザーは、機器の背面側等、表示部を視認し難い位置に移動して機器の操作を行うことも有り、表示部の案内画像を見たり案内画像を切替えたりすることが負担になることもあった。
【０００６】
本発明は上述の課題に鑑みてなされたものであり、ユーザーの負担の軽減に有効な電子機器を提供する。
【課題を解決するための手段】
【０００７】
本発明の態様の１つは、電子機器は、操作を案内するための案内画像を表示部に表示させる制御部と、ユーザーによる前記操作を検知するセンサーと、を備え、前記制御部は、画像の遷移の指示を受け付けた場合に、前記表示部による案内画像の表示を一画像ずつ遷移させ、前記センサーにより所定の前記操作が検知された場合に、前記表示部による案内画像の表示を一つ以上の案内画像をスキップして遷移させる。
【０００８】
当該構成によれば、電子機器は、画像の遷移の指示をユーザーから受けた場合には、案内画像の表示を一画像ずつ遷移させる。一方、センサーにより所定の操作が検知された場合に、表示部が現在表示している案内画像から、一つ以上の案内画像をスキップした先の案内画像へ遷移させる。つまりユーザーは、案内画像を一画像ずつ確認したければ、手動（前記指示）で一画像ずつ遷移させることが可能である。また、案内画像を見たり前記指示をしたりすることなく次々に操作を実行し、自動的に案内画像の遷移（案内画像のスキップによる遷移）をさせることが可能である。従って、上述したようなユーザーの負担が軽減される。
【０００９】
本発明の態様の１つは、前記制御部は、連続する複数の前記操作に対応した複数の前記案内画像からなる案内画像群を複数、順に前記表示部に表示させることが可能であり、前記案内画像群の最後の案内画像に対応する前記操作が前記センサーにより検知された場合に、前記表示部による案内画像の表示を、次の前記案内画像群の最初の案内画像へ遷移させるとしてもよい。
当該構成によれば、表示部に現在、ある案内画像群内のいずれの案内画像が表示されているかによらず、当該案内画像群の最後の案内画像に対応する操作をユーザーが実行すれば（当該操作がセンサーによって検知されれば）、次の案内画像群の最初の案内画像にまで一気に遷移する。これにより、ユーザーは案内画像を逐一手動（前記指示）で切替える負担から解放される。
【００１０】
本発明の態様の１つは、前記案内画像群を構成する案内画像に対応する前記操作には前記センサーによる検知が不能な操作が含まれているとしてもよい。
当該構成によれば、案内画像で案内する幾つかの操作については検知のためのセンサーを設けないことにより、電子機器のコストダウンを実現することができる。
【００１１】
本発明の態様の１つは、前記制御部は、前記案内画像群の最後の案内画像に対応する前記操作が前記センサーにより検知された場合に、当該案内画像群を構成する案内画像に対応する前記操作のうち前記センサーによる検知が可能な操作の全てが完了していることを条件として、前記表示部による案内画像の表示を、次の前記案内画像群の最初の案内画像へ遷移させるとしてもよい。当該構成によれば、センサーで検知可能な操作についてはそれらが全て正しく実行されていることを確認した上で、表示部に表示する案内画像群を次の案内画像群に遷移させることができる。
この場合、前記制御部は、前記案内画像群の最後の案内画像に対応する前記操作が前記センサーにより検知された場合に、前記条件が成立しなければ、前記表示部による案内画像の表示を維持するとしてもよい。当該構成によれば、一部の操作が正しく実行されていないことをユーザーに認識させることができる。
【００１２】
本発明の態様の１つは、前記制御部は、前記案内画像群を構成する案内画像のうち最後の案内画像に該当しない案内画像に対応する前記操作が前記センサーにより検知された場合に、前記表示部による案内画像の表示を、当該案内画像群内の、当該検知された操作に対応した案内画像の次の案内画像へ遷移させるとしてもよい。
当該構成によれば、案内画像群内の案内画像の遷移についてもセンサーによる操作の検知を契機として行うことができる。
【００１３】
本発明の態様の１つは、前記制御部は、前記案内画像群を構成する案内画像のうち最後の案内画像に該当しない案内画像が前記表示部により表示されている状況で前記遷移の指示を受け付けた場合には、当該表示されている案内画像に対応する前記操作が前記センサーにより検知されたか否かにかかわらず、前記表示部による案内画像の表示を一画像遷移させるとしてもよい。
当該構成によれば、ユーザーは、案内画像群内の案内画像を手動（前記指示）で任意に遷移させて確認することができる。
【００１４】
本発明の態様の１つは、前記案内画像群を構成する案内画像のうち最後の案内画像に該当しない案内画像には、前記遷移の指示を受け付けるための受付部が含まれているとしてもよい。
当該構成によれば、案内画像群内の最後の案内画像を除く案内画像には受付部を備えさせることにより、ユーザーの手動（前記指示）による案内画像の遷移を可能とする。また、案内画像群内の最後の案内画像には受付部を備えさせないことにより、当該最後の案内画像に対応する操作がセンサーに検知された場合に次の案内画像群に遷移することを担保する。
【００１５】
本発明の態様の１つは、電子機器は、前記操作をユーザーに促すための報知を実行する報知部を更に有し、前記報知部は、前記表示部が表示する前記案内画像に連動して前記報知を実行するとしてもよい。当該構成によれば、ユーザーによる前記操作の間違いを減らすことができる。
また、前記報知部は、前記電子機器における前記操作の対象となる箇所の近傍に配設されているとしてもよい。当該構成によれば、ユーザーは、電子機器の操作対象となる箇所を間違えずに、必要な操作を行うことができる。
【００１６】
本発明の技術的思想は、電子機器というカテゴリー以外によっても実現される。例えば、当該機器が実行する工程を含んだ方法（案内画像の表示制御方法）や、これら工程をコンピューターに実行させるプログラムを夫々に発明として捉えることが可能である。さらには、当該プログラムを記憶したコンピューター読取可能な記憶媒体も発明として成立する。
【図面の簡単な説明】
【００１７】
【図１】電子機器の構成を簡易的に示す図。
【図２】案内画像の表示制御処理を模式的に説明する図。
【図３】メディア設定処理のための案内画像の表示制御処理を説明する図。
【図４】ＬＦＰとしての電子機器の構造を側方から簡単に示す図。
【発明を実施するための形態】
【００１８】
以下、各図を参照しながら本発明の実施形態を説明する。なお各図は、本実施形態を説明するための例示に過ぎない。
【００１９】
図１は、本実施形態にかかる電子機器（以下、機器）１０の構成を簡易的に示している。図１においては、機器１０はプリンターである。プリンターとは、少なくともプリンターとして機能する装置であり、スキャナーやファクシミリ等の複数の機能を併せ持った複合機であってもよい。ただし、本実施形態が想定する機器１０は、プリンターに限定されず、自身をユーザーが利用する際に必要な設定のために、幾つかの操作をユーザーに案内する案内画像を表示する電子機器全般に当てはまる。
【００２０】
機器１０は、制御部１１、通信インターフェイス（ＩＦ）１２、表示部１３、入力受付部１４、印刷部１５、センサー１６等を含んで構成される。制御部１１は、例えば、ＣＰＵ、ＲＯＭ、ＲＡＭ等を有するＩＣや、その他のメモリー等により構成される。制御部１１では、ＣＰＵが、ＲＯＭ等に保存されたファームウェアやプログラムに従った演算処理を、ＲＡＭ等をワークエリアとして用いて実行することにより、印刷部１５を始めとした機器１０の各部の挙動を制御する。制御部１１には、このようなプログラムの一種としての案内画像表示プログラム１７がインストールされている。
【００２１】
通信ＩＦ１２は、所定の通信規格に準拠して外部の機器（例えば、パーソナルコンピューター、デジタルスチルカメラ、スマートフォン、ネットワーク上のサーバー等）と、有線あるいは無線による通信を実行するＩＦの総称である。
【００２２】
表示部１３は、視覚的情報を表示するための手段であり、例えば、液晶ディスプレイ（ＬＣＤ）や、有機ＥＬディスプレイ等により構成される。表示部１３は、ディスプレイと、当該ディスプレイを駆動するための駆動回路とを含む構成であってもよい。
入力受付部１４は、ユーザーによる入力を受け付けるための手段であり、例えば、タッチパネル、物理ボタン、キーボード等により実現される。むろん、表示部１３は、このようなタッチパネルとしても機能し得る。入力受付部１４および表示部１３をまとめて、機器１０の操作パネルと呼ぶことができる。
【００２３】
印刷部１５は、印刷データに基づく印刷を実行する機構であり、例えば、インクジェット方式を用いて印刷を実行する。印刷部１５は、知られているように、用紙等の印刷メディアを保持するメディア保持部、印刷メディアを給紙側から排紙側へ搬送する搬送部、搬送された印刷メディアにインク等の液体を吐出する印刷ヘッド、印刷ヘッドを走査させるキャリッジ、印刷ヘッドへ供給するインクを保持するインクカートリッジ、等を有する。なお、印刷部１５が採用する印刷方式はインクジェット方式に限定されず、電子写真方式など様々な方式を採用可能である。
【００２４】
センサー１６は、ユーザーによる機器１０に対する操作を検知するための手段であり、機器１０の幾つかの箇所に複数設けられている。センサー１６の具体例については後述する。
【００２５】
図２は、制御部１１が案内画像表示プログラム１７に従って実行する案内画像の表示制御処理を模式的に説明するための図である。制御部１１は、当該表示制御処理により、機器１０に関する設定に必要な操作を順に案内するための案内画像を、表示部１３に表示させる。機器１０に関する設定とは、例えば、前記メディア保持部への印刷メディアの装着を含むメディア設定処理、インクカートリッジの装着を含む設定処理、プリンター（機器１０）の使用開始にあたり必要な初期設定等、様々である。
【００２６】
図２では、表示部１３が表示する案内画像の例として、案内画像Ｐ１，Ｐ２，Ｐ３，Ｐ４，Ｐ５，Ｐ６，Ｐ７，Ｐ８，Ｐ９を示している。制御部１１は、これら案内画像を表現する画像データを予め保持しており、画像データに基づいて表示部１３に案内画像を表示させる。図２では省略しているが、案内画像Ｐ１，Ｐ２，Ｐ３，Ｐ４，Ｐ５，Ｐ６，Ｐ７，Ｐ８，Ｐ９は、例えば、イラストやメッセージやそれらの組合せで、ユーザーが実行すべき操作を具体的に案内する。
【００２７】
一つの案内画像は、基本的には一つ（あるいは一まとまりの）の操作をユーザーに案内するための画像である。図２では、案内画像毎に案内する操作を、操作１，２，３…というように併せて示している。ユーザーは、案内画像Ｐ１，Ｐ２，Ｐ３，Ｐ４，Ｐ５，Ｐ６，Ｐ７，Ｐ８，Ｐ９をこの順番で見ることにより、機器１０に関する設定に必要な複数の操作（操作１，２，３…）を順に理解し、実行することができる。ただし、ユーザーの中には、機器１０の設定に習熟している者も居るため、本実施形態では、これら案内画像を全て見ることをユーザーに強いることはしない。
【００２８】
制御部１１は、複数の案内画像を幾つかのグループに区切って管理している。図２の例では、案内画像Ｐ１，Ｐ２，Ｐ３を画像グループＧ１、案内画像Ｐ４，Ｐ５，Ｐ６を画像グループＧ２、案内画像Ｐ７，Ｐ８，Ｐ９を画像グループＧ３と呼ぶことにする。つまり制御部１１は、画像グループＧ１，Ｇ２，Ｇ３の順で案内画像を表示部１３に表示させることが可能である。このような画像グループは、連続する複数の操作に対応した複数の案内画像からなる案内画像群に該当する。むろん本実施形態において、画像グループの数や画像グループを構成する案内画像の数は、何ら限定されるものではない。
【００２９】
案内画像の遷移（切替え）は、ユーザーによる案内画像の遷移指示により実行可能である。つまり制御部１１は、操作パネル（表示部１３、入力受付部１４）を介してユーザーから遷移指示を受け付けた場合に、表示部１３による案内画像の表示を一画像ずつ遷移させる。例えば、各案内画像には、案内画像の表示を一画像進めるための“進む”ボタンＦＢや、一画像戻すための“戻る”ボタンＢＢが含まれている。ボタンＦＢ，ＢＢは、案内画像の遷移指示を受け付けるための受付部の例である。例えば、表示部１３に案内画像Ｐ２が表示されている状況で、ユーザーが案内画像Ｐ２のボタンＦＢを押下げ（タップやクリック）すると、制御部１１は、表示部１３による案内画像の表示を、現在の案内画像Ｐ２から次の案内画像Ｐ３へ遷移させる。また、ユーザーが案内画像Ｐ２のボタンＢＢを押下げすると、制御部１１は、表示部１３による表示を、現在の案内画像Ｐ２から一つ前の案内画像Ｐ１へ遷移させる。これにより、特に機器１０の設定に不慣れなユーザーは、案内画像を一画像ずつ確認しながら、当該設定に必要な操作を行うことができる。
【００３０】
さらに本実施形態では、制御部１１は、案内画像の遷移を、センサー１６による所定の操作の検知を契機として実行することが可能である。図２では、案内画像Ｐ１，Ｐ２，Ｐ３，Ｐ４，Ｐ５，Ｐ６，Ｐ７，Ｐ８，Ｐ９の一部について、対応する操作がセンサー１６により検知可能な操作（検知対象操作ＳＥ）であることを例示している。図２の例では、案内画像Ｐ２に対応する操作２、案内画像Ｐ３に対応する操作３、案内画像Ｐ５に対応する操作５、案内画像Ｐ６に対応する操作６、案内画像Ｐ７に対応する操作７、案内画像Ｐ９に対応する操作９がそれぞれ、検知対象操作ＳＥである。検知対象操作ＳＥではない操作、つまりセンサー１６による検知が不能な操作（図２の例では、操作１，４，８）を、検知対象外操作と呼ぶ。
【００３１】
制御部１１は、センサー１６により所定の操作が検知された場合に、表示部１３による案内画像の表示を、一つ以上の案内画像をスキップして遷移させることが可能である。ここで言う所定の操作とは、基本的には、画像グループ毎の最後の案内画像に対応する操作である。図２では、例えば、画像グループＧ１の最後の案内画像Ｐ３に対応する操作３や、画像グループＧ２の最後の案内画像Ｐ６に対応する操作６等が、所定の操作に該当する。上述したように機器１０に対する操作は、検知対象操作ＳＥと検知対象外操作に分かれるが、画像グループ毎の最後の案内画像に対応する操作は、検知対象操作ＳＥであるとする。
【００３２】
画像グループＧ１の最後の案内画像Ｐ３に対応する操作３の実行がセンサー１６により検知され、当該検知の旨が制御部１１へ通知されたとする。当該通知に応じて制御部１１は、表示部１３による案内画像の表示を、操作３の次の操作を案内するための案内画像、つまり次の画像グループＧ２の最初の案内画像Ｐ４へ遷移させる。この場合、制御部１１は、直前まで表示部１３が表示していた案内画像がいずれであるかにかかわらず、案内画像Ｐ４へ遷移させる。例えば、表示部１３に案内画像Ｐ１が表示されている状況で同じ画像グループＧ１の最後の案内画像Ｐ３に対応する操作３の実行がセンサー１６により検知された場合、制御部１１は、案内画像Ｐ２，Ｐ３をスキップして（案内画像Ｐ２，Ｐ３を表示させずに）、表示部１３に案内画像Ｐ４を表示させる。
なお、表示部１３に案内画像Ｐ３が表示されている状況で操作３の実行がセンサー１６により検知された場合も、制御部１１は表示部１３に案内画像Ｐ４を表示させるが、この場合は、案内画像をスキップするケースには該当しない。
【００３３】
また、画像グループＧ２の最後の案内画像Ｐ６に対応する操作６の実行がセンサー１６により検知され、当該検知の旨が制御部１１へ通知されたとする。当該通知に応じて制御部１１は、表示部１３による案内画像の表示を、直前まで表示されていた案内画像がいずれであるかにかかわらず、操作６の次の操作を案内するための案内画像、つまり画像グループＧ３の最初の案内画像Ｐ７へ遷移させる。
【００３４】
なお、制御部１１は、画像グループを構成する案内画像のうち最後の案内画像に該当しない案内画像に対応する操作がセンサー１６により検知された場合には、表示部１３による案内画像の表示を、当該画像グループ内の、当該検知された操作に対応した案内画像の次の案内画像へ遷移させるとしてもよい。一例として、画像グループＧ１の案内画像Ｐ２に対応する操作２がセンサー１６により検知された場合、制御部１１は、直前まで表示されていた案内画像がいずれであるかにかかわらず、表示部１３による案内画像の表示を、次の操作３に対応した案内画像Ｐ３へ遷移させる。
【００３５】
つまり、画像グループ内の案内画像の遷移についても、センサー１６による操作の検知を契機に実行することができ、このとき案内画像のスキップが生じ得る。ただし、このような画像グループ内の最後の案内画像に該当しない案内画像に対応する操作のセンサー１６による検知は、次の画像グループへの遷移のトリガーにはならない。
【００３６】
また制御部１１は、画像グループを構成する案内画像のうち最後の案内画像に該当しない案内画像が表示部１３により表示されている状況で、ユーザーからの遷移指示を受け付けた場合には、表示されている案内画像に対応する操作がセンサー１６により検知されたか否かにかかわらず、表示部１３による案内画像の表示を一画像遷移させる。既に説明したが、例えば、表示部１３に案内画像Ｐ２が表示されている状況で、案内画像Ｐ２のボタンＦＢが押下げられた場合、制御部１１は、案内画像Ｐ２に対応する操作２がセンサー１６により検知されていなくても、表示部１３による表示を案内画像Ｐ２から次の案内画像Ｐ３へ遷移させる。
【００３７】
案内画像の遷移指示を受け付けるための受付部（ボタンＦＢ，ＢＢ）は、画像グループの最後の案内画像に該当するか否かにかかわらず各案内画像に設けてもよい。しかし、図２の例では、画像グループを構成する案内画像のうち最後の案内画像に該当しない案内画像にはこのような受付部を設ける一方で、画像グループの最後の案内画像には、受付部（特にボタンＦＢ）を設けないようにしている。このように画像グループの最後の案内画像には受付部（ボタンＦＢ）を設けないことにより、画像グループから次の画像グループへの遷移は、前の画像グループの最後の案内画像に対応する操作が確実に実行された場合に行う、という仕組みを担保することができる。
【００３８】
上述したように、案内画像毎の各操作は、検知対象操作ＳＥと検知対象外操作に分かれるが、機器１０が搭載するセンサー１６の数や種類を増やせば、全ての操作を検知対象操作ＳＥとすることは可能である。しかし、センサー１６の数や種類を増やすことで、機器１０の製造コストが上昇する。このようなコストを抑制する観点から、機器１０では、当該機器１０の設定に際して必要な複数の操作のうち、正常に実行されなかった場合に比較的重大な問題の原因となり得る操作について、それが実行されたことを検知できるように限られた箇所にセンサー１６を搭載している。
【００３９】
これまでの説明を踏まえ、更に具体的な場面を想定して、案内画像の表示制御処理を説明する。一例として、機器１０はいわゆる大判プリンター（ＬＦＰ：Large Format Printer）であり、機器１０に印刷メディアの一種であるロール紙を装着等する処理（メディア設定処理）に際し、制御部１１（案内画像表示プログラム１７）は、メディア設定処理のための案内画像を表示部１３に表示させるとする。ただし、以下に図３，４を用いて説明する内容は、具体例の一つに過ぎず、本発明の開示範囲を狭めるものではない。
【００４０】
図３における符号ＰＡ１，ＰＡ２，ＰＡ３，ＰＢ１，ＰＢ２，ＰＢ３，ＰＣ１，ＰＣ２，ＰＣ３…は、それぞれが表示部１３に表示され得る案内画像を示している。案内画像を示す矩形の中に書かれた文字列は、案内画像による案内の内容（概要）を示している。例えば、最初の案内画像ＰＡ１は、「プリンターの前面カバーを開ける」という操作をユーザーに案内するための画像であり、何らかのイラストやメッセージ（例えば“プリンターの前面カバーを開けて下さい”といったメッセージ）やそれらの組合せで、ユーザーに操作を案内する。本実施形態では、各案内画像の具体的なデザインは特に問わない。
【００４１】
図３の例では、案内画像ＰＡ１，ＰＡ２，ＰＡ３が画像グループＧＡを構成し、案内画像ＰＢ１，ＰＢ２，ＰＢ３が画像グループＧＡの次の画像グループＧＢを構成し、案内画像ＰＣ１，ＰＣ２，ＰＣ３が画像グループＧＢの次の画像グループＧＣを構成するものとする。また、図３では、破線の各矩形（ステップＳ１００〜Ｓ１８０）により、ユーザーが実行する操作の一部を示し、実線の各矩形（ステップＳ２００〜Ｓ２５０）により、制御部１１が実行する処理の一部を示している。
【００４２】
図４は、ＬＦＰとしての機器１０の構造を側方からごく簡単に例示している。機器１０は、脚部２６によって支持される筐体２０を有する。筐体２０よりも下方には、ロール紙３０を左右から保持するための一組のロールホルダー（メディア保持部）２７が脚部２６に固定されている。筐体２０は、蓋の一種としての前面カバー２３を有する。また、筐体２０内には、不図示のモーターにより回転する搬送ローラー（搬送部）２１、搬送ローラー２１との間で印刷メディアを挟持する従動ローラー２２、従動ローラー２２の位置を切替えるスイッチ２４、印刷メディアを左右から押える一組のメディア押え板２５、センサー１６（１６ａ，１６ｂ）等が配設されている。図示は省略しているが、当然、筐体２０には、制御部１１や、印刷部１５の他の部分（印刷ヘッド、キャリッジ、インクカートリッジ等）も配設されており、また筐体２０の前面側の見易い位置には、操作パネル（表示部１３、入力受付部１４）が配設されている。
【００４３】
ユーザーが操作パネル（表示部１３、入力受付部１４）に対して所定の入力を行ったことを契機として、制御部１１は、表示部１３にメディア設定処理のための最初の案内画像ＰＡ１を表示させる。
ユーザーは、前面カバー２３を開ける（ステップＳ１００）。ユーザーは、案内画像ＰＡ１を見ることで、先ず前面カバー２３を開けるべき旨を容易に理解することができる。ただし、ユーザーがメディア設定処理に習熟している者であれば、各案内画像に頼らなくても、前面カバー２３を開ける操作を始めとした以下の各操作を行うことができる。
【００４４】
案内画像ＰＡ２は、「メディア押え板を退避させる」という操作を案内するための画像である。また、案内画像ＰＡ３は、「従動ローラーを開放する」という操作を案内するための画像である。ユーザーは、機器１０に対して上述の遷移指示を行うことにより、表示部１３における案内画像の表示を、案内画像ＰＡ１から案内画像ＰＡ２へ遷移させたり、案内画像ＰＡ２から案内画像ＰＡ３へ遷移させたりすることができる。案内画像ＰＡ１から案内画像ＰＡ２への遷移や、案内画像ＰＡ２から案内画像ＰＡ３への遷移が実際に起こるか否かは、ユーザーの意思（遷移指示の有無）に依存する。
【００４５】
次に、ユーザーは、メディア押え板２５を退避させる（ステップＳ１１０）。知られているように、一組のメディア押え板２５は、搬送ローラー２１によって搬送される印刷メディアの左右に位置しており、ユーザーは、左右のメディア押え板２５間の距離を手動で拡げたり狭めたりすることができる。メディア押え板２５の退避とは、メディア押え板２５が印刷メディアに干渉しないように左右のメディア押え板２５間の距離を拡げる行為である。
【００４６】
次に、ユーザーは、スイッチ２４を操作することにより、従動ローラー２２を開放する（ステップＳ１２０）。スイッチ２４は、従動ローラー２２の位置を、挟持位置と開放位置との間で切替えることができる。挟持位置とは、搬送ローラー２１に接近して搬送ローラー２１との間で印刷メディアを挟持可能な位置であり、開放位置とは、搬送ローラー２１から離間して印刷メディアを挟持不能な位置である。従動ローラー２２を開放するとは、従動ローラー２２を挟持位置から開放位置へ移動させることである。
【００４７】
ここで、センサー１６の一種である従動ローラーセンサー１６ａは、スイッチ２４の操作に応じて、従動ローラー２２が、開放位置へ移動したか否か（挟持位置へ移動したか）を検知するセンサーである。つまり、画像グループＧＡの最後の案内画像ＰＡ３に対応する「従動ローラーを開放する」という操作は、検知対象操作ＳＥの一つである。ユーザーによるステップＳ１２０の操作に応じて、従動ローラーセンサー１６ａが従動ローラー２２が開放位置へ移動したことを検知し、当該検知の旨が制御部１１へ通知される。これにより、制御部１１は、従動ローラー２２が開放されたことを認識し（ステップＳ２００）、表示部１３による案内画像の表示を、画像グループＧＢの最初の案内画像である案内画像ＰＢ１へ遷移させる（ステップＳ２１０）。当該遷移の直前まで表示部１３に表示されていた案内画像が案内画像ＰＡ３ではなく案内画像ＰＡ１や案内画像ＰＡ２であれば、ステップＳ２１０で案内画像のスキップが起きたことになる。
【００４８】
案内画像ＰＢ１は、「ロール紙を装着する」という操作を案内するための画像である。また、案内画像ＰＢ２は、「ロール紙先端を筐体へ挿入する」という操作を案内するための画像である。また、案内画像ＰＢ３は、「ローラーでロール紙を挟持する」という操作を案内するための画像である。むろん、ユーザーは、機器１０に対して上述の遷移指示を行うことにより、表示部１３における案内画像の表示を、案内画像ＰＢ１から案内画像ＰＢ２へ遷移させたり、案内画像ＰＢ２から案内画像ＰＢ３へ遷移させたりすることができる。
【００４９】
ステップＳ１２０の後、ユーザーは、ロール紙３０をロールホルダー２７へ装着する（ステップＳ１３０）。次に、ユーザーは、ロールホルダー２７へ装着したロール紙３０の先端を引き出して、当該先端を筐体２０の背面側（図４参照）から筐体２０内へ挿入する（ステップＳ１４０）。このとき、従動ローラー２２は開放されているため、ロール紙３０の先端は容易に搬送ローラー２１と従動ローラー２２の間を通過して筐体２０内を前面側へ進む。言うまでもなく、筐体２０の背面側や前面側には、ロール紙３０を通過させるためのスリット状の開口が確保されている。
【００５０】
ここで、センサー１６の一種であるメディアセンサー１６ｂは、ローラー２１，２２よりも前面側に位置し、印刷メディアの先端が通過したことを検知可能なセンサーである。従って、画像グループＧＢに含まれる案内画像ＰＢ２に対応する「ロール紙先端を筐体へ挿入する」という操作は、検知対象操作ＳＥの一つとなる。ユーザーによるステップＳ１４０の操作に応じて、メディアセンサー１６ｂはロール紙３０の先端が通過したことを検知し、当該検知の旨が制御部１１へ通知される。これにより、制御部１１は、ロール紙３０の先端が筐体２０へ挿入されたことを認識する（ステップＳ２２０）。制御部１１は、ロール紙３０の先端が筐体２０へ挿入されたことを契機として表示部１３による案内画像の表示を案内画像ＰＢ３へ遷移させる（ステップＳ２３０）仕様であってもよいし、このようなステップＳ２３０を実行しない仕様であってもよい。
【００５１】
なお、ユーザーがロール紙３０の先端を筐体２０内へ挿入したとき（ステップＳ１４０）、当該挿入の量が十分でないためにロール紙３０の先端がメディアセンサー１６ｂの位置まで届かないことも有り得る。この場合、制御部１１は、ロール紙３０の先端が筐体２０へ挿入されたことを認識できない。このようなロール紙３０の不十分な挿入を避けるために、機器１０は、メディアセンサー１６ｂが印刷メディアの先端を検知したときに所定の音声を発する報知部を備えるとしてもよい。これにより、ユーザーは、当該音声が鳴るまではロール紙３０の挿入を続けるようになり、「ロール紙先端を筐体へ挿入する」という操作が正常に実行されるようになる。
【００５２】
次に、ユーザーは、スイッチ２４を操作することにより従動ローラー２２を挟持位置へ戻して、ローラー２１，２２でロール紙３０を挟持する（ステップＳ１５０）。ローラー２１，２２でロール紙３０が挟持されることで、ユーザーがロール紙３０から手を放しても、ロール紙３０の位置が維持される。上述したように従動ローラーセンサー１６ａは、従動ローラー２２が挟持位置へ移動したことを検知可能である。従って、画像グループＧＢの最後の案内画像ＰＢ３に対応する「ローラーでロール紙を挟持する」という操作は、検知対象操作ＳＥの一つである。ユーザーによるステップＳ１５０の操作に応じて、従動ローラーセンサー１６ａは従動ローラー２２が挟持位置へ移動したことを検知し、当該検知の旨が制御部１１へ通知される。これにより、制御部１１は、ローラー２１，２２がロール紙３０を挟持したことを認識し（ステップＳ２４０）、表示部１３による案内画像の表示を、画像グループＧＣの最初の案内画像である案内画像ＰＣ１へ遷移させる（ステップＳ２５０）。当該遷移の直前まで表示部１３に表示されていた案内画像が案内画像ＰＢ３ではなく案内画像ＰＢ１や案内画像ＰＢ２であれば、ステップＳ２５０で案内画像のスキップが起きたことになる。
【００５３】
案内画像ＰＣ１は、「ロール紙先端を持ちながら従動ローラーを開放する」という操作を案内するための画像である。また、案内画像ＰＣ２は、「ロール紙先端を目印まで引き出す」という操作を案内するための画像である。また、案内画像ＰＣ３は、「ローラーでロール紙を挟持する」という操作を案内するための画像である。むろん、ユーザーは、機器１０に対して上述の遷移指示を行うことにより、表示部１３における案内画像の表示を、案内画像ＰＣ１から案内画像ＰＣ２へ遷移させたり、案内画像ＰＣ２から案内画像ＰＣ３へ遷移させたりすることができる。
【００５４】
ユーザーは、ステップＳ１２０〜Ｓ１５０の操作を概ねＬＦＰ（機器１０）の背面側に位置しながら実行する。そのためステップＳ１５０の後、ユーザーは、ＬＦＰ（機器１０）の前面側へ移動した後、ロール紙３０の先端を持ちつつ、スイッチ２４を操作することにより従動ローラー２２を開放する（ステップＳ１６０）。次に、ユーザーは、ロール紙３０を、先端が筐体２０の前面側に付されている所定の目印（不図示）の位置に到達するまで更に引き出し（ステップＳ１７０）、その状態でスイッチ２４を操作することにより従動ローラー２２を挟持位置へ戻して、ローラー２１，２２でロール紙３０を挟持する（ステップＳ１８０）。図３では特に示していないが、ステップＳ１６０における従動ローラー２２の開放（従動ローラー２２の開放位置への移動）やステップＳ１８０におけるロール紙３０の挟持（従動ローラー２２の挟持位置への移動）はそれぞれ、従動ローラーセンサー１６ａによる検知の対象となるため、制御部１１は、このような従動ローラーセンサー１６ａによる検知を契機として、案内画像の表示を遷移させることが可能である。
【００５５】
制御部１１は、案内画像ＰＣ３を表示部１３に表示させた後、メディア設定処理のための他の案内画像をさらに表示させることができる。メディア設定処理のための他の案内画像とは、例えば、メディア押え板２５をロール紙３０を左右から押える位置まで移動させる操作や、前面カバー２３を閉じる操作や、装着したロール紙３０に関する種々の情報（メディア種類、ロール紙の残量、ロール紙の印刷面が外巻き／内巻きのいずれであるか、等の情報）の操作パネルを介した入力等を案内するための各種案内画面である。
【００５６】
このように本実施形態によれば、機器１０は、案内画像の遷移指示をユーザーから受け付けた場合には、表示部１３による案内画像の表示を一画像ずつ遷移させることが可能である。その一方で、機器１０は、センサー１６により所定の操作が検知された場合に、表示部１３による案内画像の表示を、一つ以上の案内画像をスキップして遷移させることが可能である。そのため、機器１０の設定に不馴れなユーザーは、手動（遷移指示）により案内画像を一画像ずつ遷移させて確認することで、当該設定を確実に実行することができる。また、機器１０の設定に習熟したユーザーは、案内画像を見たり前記遷移指示をしたりすることなく次々に操作を実行し、自動的に案内画像の遷移をさせることが可能である。
【００５７】
例えば、機器１０の設定に習熟したユーザーは、表示部１３に最初の案内画像Ｐ１が表示されている状況で、案内画像を特に見ることなく、操作１、操作２、操作３…（図２参照）を順に実行することができる。この間、当該ユーザーが案内画像Ｐ１から以降の案内画像Ｐ２，Ｐ３…へ表示を進める前記遷移指示を入力しなくても、機器１０は、検知対象操作ＳＥの一つである操作３を検知したことを契機として、表示部１３による案内画像の表示を、操作３の次の操作４に対応する案内画像Ｐ４へ遷移させる。つまり、幾つかの案内画像（この場合、案内画像Ｐ２，Ｐ３）が自動的にスキップされるため、当該ユーザーは、案内画像を逐一手動（遷移指示）で切替える負担から解放される。特に、機器１０が上述したようなＬＦＰである場合、メディア設定処理に際し、ユーザーは機器１０の背面側や前面側に移動しながら各操作を行う。そのため、ユーザーは、様々な操作を行いながら機器１０の表示部１３を逐一視認することが面倒な場合がある。このような状況を鑑みると、ユーザーが、案内画像を一つずつ遷移させる入力を行わなくてもユーザーの操作の進捗に合わせて案内画像の表示がスキップを伴って遷移する本発明は、ユーザーの負担を大きく軽減させると言える。
【００５８】
本発明は、これまで説明した実施形態に限られず様々な態様を含み得る。
一つの変形例として、制御部１１（案内画像表示プログラム１７）は、画像グループの最後の案内画像に対応する操作がセンサー１６により検知された場合に、当該画像グループを構成する案内画像に対応する操作のうちセンサー１６による検知が可能な操作（検知対象操作ＳＥ）の全てが完了していることを条件として、表示部１３による案内画像の表示を、次の画像グループの最初の案内画像へ遷移させるとしてもよい。
このような変形例を、画像グループＧＢ，ＧＣの表示（図３参照）を例に用いて説明する。
【００５９】
制御部１１は、画像グループＧＢの最後の案内画像ＰＢ３に対応する操作「ローラーでロール紙を挟持する」を、従動ローラーセンサー１６ａによる検知を通じて認識したとする（ステップＳ２４０）。この場合、制御部１１は、画像グループＧＢを構成する案内画像ＰＢ１，ＰＢ２，ＰＢ３に対応する各操作のうちの検知対象操作ＳＥの全てが完了しているか否かを判定する。画像グループＧＢを構成する案内画像ＰＢ１，ＰＢ２，ＰＢ３に対応する各操作のうちの検知対象操作ＳＥは、案内画像ＰＢ２に対応する操作および案内画像ＰＢ３に対応する操作である。制御部１１は、案内画像ＰＢ３に対応する操作「ローラーでロール紙を挟持する」は既に完了していることを認識済みである。そのため、制御部１１は、メディアセンサー１６ｂによりロール紙３０の先端が通過したことが検知済みであるか否かを判定し、当該先端の通過が検知済みであれば、案内画像ＰＢ２に対応する操作「ロール紙先端を筐体へ挿入する」も完了していると言えるため、ステップＳ２４０からステップＳ２５０へ進む（表示部１３による案内画像の表示を、画像グループＧＣの最初の案内画像ＰＣ１へ遷移させる）。このような構成によれば、ユーザーは、表示部１３に表示される案内画像の内容が自動的に遷移したとき、当該遷移前までに実行すべき操作（少なくとも検知対象操作ＳＥ）を正しく終えていることを認識することができる。
【００６０】
また制御部１１は、画像グループの最後の案内画像に対応する操作がセンサー１６により検知された場合に、当該画像グループを構成する案内画像に対応する操作のうち検知対象操作ＳＥの全てが完了している、という条件が成立しなければ、表示部１３による案内画像の表示を維持するとしてもよい。例えば、制御部１１は、上述のステップＳ２４０の段階で、メディアセンサー１６ｂによりロール紙３０の先端が検知されていなければ、案内画像ＰＢ２に対応する操作は完了していないため、ステップＳ２５０へ進まない（案内画像ＰＣ１への遷移は実行しない）。このとき、制御部１１は、それまでの表示部１３による案内画像の表示を維持させる。仮に、それまで表示部１３に画像グループＧＢの案内画像ＰＢ２が表示されていれば、制御部１１は、案内画像ＰＢ２の表示を維持させる。このような構成によれば、ユーザーは、操作を進める中で、表示部１３における案内画像の表示内容が変わらないとき、それまでに実行しているべき操作が不完全であることに気付くことができる。その後、前記条件が成立すれば、制御部１１は、ステップＳ２５０へ進むことができる。
【００６１】
他の変形例として、機器１０は、操作をユーザーに促すための報知を実行する報知部１８（図１参照）を更に有するとしてもよい。報知部１８は、表示部１３が表示する案内画像に連動して報知を実行する。報知部１８とは、例えば、音声を発する音声回路であったり、発光や点滅を行うＬＥＤ等の発光部であったりする。制御部１１は、表示部１３が表示する案内画像が遷移する度に、遷移後の案内画像が案内する操作をユーザーに促すための所定の音声メッセージを報知部１８に出力させたり、所定の発光や点滅を報知部１８に実行させたりする。当該構成によれば、ユーザーによる操作の間違いを減らすことができる。
【００６２】
報知部１８は、機器１０に複数存在していてもよい。また、報知部１８は、機器１０における操作の対象となる箇所の近傍に配設されているとしてもよい。例えば、報知部１８は、前面カバー２３の近傍、メディア押え板２５の近傍、スイッチ２４の近傍、ロールホルダー２７の近傍…等、図３，４を用いて説明した各操作の対象となる箇所の全てあるいは一部の近傍に配設される。そして、制御部１１は、表示部１３が表示する案内画像に連動した報知を各報知部１８に実行させる。例えば、制御部１１は、案内画像ＰＡ１を表示部１３に表示させた際に、前面カバー２３近傍の報知部１８に発光、点滅や、音声出力を実行させる。また、案内画像ＰＡ２を表示部１３に表示させた際に、メディア押え板２５近傍の報知部１８に発光、点滅や、音声出力を実行させる。当該構成によれば、ユーザーは、機器１０の操作対象となる箇所を間違えずに、必要な操作を効率的に実行することができる。
【符号の説明】
【００６３】
１０…電子機器、１１…制御部、１２…通信ＩＦ、１３…表示部、１４…入力受付部、１５…印刷部、１６…センサー、１６ａ…従動ローラーセンサー、１６ｂ…メディアセンサー、１７…案内画像表示プログラム、１８…報知部、２０…筐体、２１…搬送ローラー、２２…従動ローラー、２３…前面カバー、２４…スイッチ、２５…メディア押え板、２６…脚部、２７…ロールホルダー、Ｐ１，Ｐ２，Ｐ３，Ｐ４，Ｐ５，Ｐ６，Ｐ７，Ｐ８，Ｐ９，ＰＡ１，ＰＡ２，ＰＡ３，ＰＢ１，ＰＢ２，ＰＢ３，ＰＣ１，ＰＣ２，ＰＣ３…案内画像、Ｇ１，Ｇ２，Ｇ３，ＧＡ，ＧＢ，ＧＣ…画像グループ
【図１】
2018116169.tif 000003
【図２】
2018116169.tif 000004
【図３】
2018116169.tif 000005
【図４】
2018116169.tif 000006